(57)【要約】  洗濯機の衣類識別システム、当該システムのバインディング及び衣類識別方法であって、システムは、衣類識別ワイヤレスモジュール、モバイル端末及びサーバを含む。衣類識別ワイヤレスモジュールは、衣類識別モジュールとワイヤレスモジュールを組み合わせた部材であり、衣類タグを識別してタグ情報をサーバに伝達する。サーバは、衣類タグ情報を受信して対応する衣類情報を解析により取得すると、これを洗濯機及び／又はモバイル端末に送信して提示させる。また、衣類情報に基づき、対応する当該衣類の洗浄プログラムパラメータを取得して洗濯機に送信する。洗濯機は取得したパラメータに基づいて洗浄動作を実行する。モバイル端末は、サーバから送信された衣類情報を受信してユーザに提示する。当該システムは、衣類識別モジュールとワイヤレスモジュールを組み合わせた衣類識別ワイヤレスモジュールを洗濯機に装着し、サーバを通じて衣類データを制御命令として対応する洗濯機の制御装置に送信することで、衣類のスマート洗浄ケア機能を実現する。【選択図】図１
2020529280.tif 000002
【特許請求の範囲】
【請求項１】
衣類識別ワイヤレスモジュール、モバイル端末及びサーバを含み、
衣類識別ワイヤレスモジュールは、衣類識別モジュールとワイヤレスモジュールを組み合わせた部材であり、衣類タグを識別してタグ情報をサーバに伝達し、
サーバは、衣類タグ情報を受信して対応する衣類情報を解析により取得すると、これを洗濯機及び／又はモバイル端末に送信して提示させ、且つ、衣類情報に基づき、対応する当該衣類の洗浄プログラムパラメータを取得して洗濯機に送信し、洗濯機は取得したパラメータに基づいて洗浄動作を実行し、
モバイル端末は、サーバから送信された衣類情報を受信してユーザに提示する洗濯機の衣類識別システム。
【請求項２】
衣類識別ワイヤレスモジュール、モバイル端末及びサーバを含み、
衣類識別ワイヤレスモジュールは、衣類識別モジュールとワイヤレスモジュールを組み合わせた部材であり、衣類タグを識別してタグ情報をサーバに伝達し、
サーバは、衣類タグ情報を受信して対応する衣類情報を解析により取得すると、これを洗濯機及び／又はモバイル端末に送信して提示させ、
モバイル端末は、サーバから送信された衣類情報を受信してユーザに提示し、モバイル端末又は洗濯機は、取得した衣類情報に基づいて対応する洗浄プログラムパラメータを取得し、且つ、モバイル端末は洗浄起動機能を有する洗濯機の衣類識別システム。
【請求項３】
前記衣類識別ワイヤレスモジュールは、衣類タグ識別機能及びネットワーク伝送機能を有し、
前記サーバは、データ送受信、データ解析、データ分析、データ記憶、データ演算処理機能を有し、
前記モバイル端末は、衣類情報提示機能及び衣類情報演算処理機能を有する携帯電話端末又はｉｐａｄ端末であり、
前記洗濯機に衣類識別ワイヤレスモジュールを設置して、データの受信やアップロード、制御命令の実行を行い、且つ、洗濯機本体のディスプレイには衣類情報提示機能及び衣類情報処理機能が備わっていることを特徴とする請求項１又は２に記載の洗濯機の衣類識別システム。
【請求項４】
前記衣類の識別可能なタグはＲＦＩＤタグであり、
前記衣類識別モジュールはＲＦＩＤ衣類識別モジュールであって、ワイヤレスモジュールと組み合わせることでＲＦＩＤ衣類識別ワイヤレスモジュールとなり、前記ワイヤレスモジュールはＷｉＦｉモジュールであることを特徴とする請求項１〜３のいずれかに記載の洗濯機の衣類識別システム。
【請求項５】
前記衣類識別ワイヤレスモジュールは独立したモジュールであり、取り外し可能に洗濯機に装着されることを特徴とする請求項１〜４のいずれかに記載の洗濯機の衣類識別システム。
【請求項６】
前記モバイル端末はデバイスバインディング機能を有し、衣類識別ワイヤレスモジュールのワイヤレスモジュールは、工場出荷時設定がネットワーク設定モードとなっており、モバイル端末によりネットワーク設定を行ってルータに接続することが可能であり、
前記衣類識別ワイヤレスモジュールには工場出荷時設定リセットボタンが設置されており、これを押すことで衣類識別ワイヤレスモジュールがネットワーク設定モードにリセットされることを特徴とする請求項１〜５のいずれかに記載の洗濯機の衣類識別システム。
【請求項７】
請求項１〜６のいずれかに記載の洗濯機の衣類識別システムにおける衣類識別ワイヤレスモジュールのバインディング設定方法であって、
衣類識別ワイヤレスモジュールがネットワーク設定モードになるステップＳ１と、
モバイル端末が家内のルータに接続されるステップＳ２と、
モバイル端末が衣類識別ワイヤレスモジュールを設定するステップＳ３と、
衣類識別ワイヤレスモジュールが家内のルータに接続されるステップＳ４と、
モバイル端末が、衣類識別ワイヤレスモジュールと同一ネットワーク内の洗濯機とをバインディング設定するステップＳ５、を含むことを特徴とする方法。
【請求項８】
前記Ｓ３及びＳ４の具体的な操作として、
モバイル端末は、従来のｓｏｆｔａｐｐ又はｓｍａｒｔｌｉｎｋバインディングフローに従って衣類識別ワイヤレスモジュールを対応するルータに設定し、ネットワーク接続機能を持たせることを特徴とする請求項７に記載の洗濯機の衣類識別システムにおける衣類識別ワイヤレスモジュールのバインディング設定方法。
【請求項９】
前記Ｓ５の具体的な操作として、
Ｓ４のあとに、モバイル端末は洗濯機を同一ネットワーク内に設定し、モバイル端末を通じて衣類識別ワイヤレスモジュールと洗濯機の間にバインディング関係を構築することを特徴とする請求項７に記載の洗濯機の衣類識別システムにおける衣類識別ワイヤレスモジュールのバインディング設定方法。
【請求項１０】
請求項１〜６のいずれかに記載の洗濯機の衣類識別システムにおける衣類識別方法であって、
衣類識別ワイヤレスモジュールが、ユーザにより投入された衣類を識別し、対応する衣類タグ情報を取得するステップＳ１と、
衣類識別ワイヤレスモジュールが、ワイヤレスモジュールを通じてタグ情報をサーバに送信するステップＳ２と、
サーバが、タグデータ及び対応するデコード規則に基づいてデータ解析を行い、識別する衣類の情報を取得するとともに、衣類情報に基づき論理判定及びプログラムパラメータの演算を行い、且つ、サーバが、衣類情報をモバイル端末又は洗濯機端末のディスプレイにフィードバックするとともに、洗浄プログラムパラメータを洗濯機の制御基板にフィードバックするか、
或いは、サーバが、タグデータ及び対応するデコード規則に基づいてデータ解析を行い、識別する衣類の情報を取得して、衣類情報をモバイル端末及び／又は洗濯機端末のディスプレイにフィードバックし、モバイル端末及び／又はディスプレイ付き洗濯機端末が、衣類情報を取得すると衣類を提示するとともに、取得した衣類情報に基づいてプログラムパラメータを演算し、洗浄プログラムパラメータを洗濯機の制御基板にフィードバックするステップＳ３と、
モバイル端末及び／又はディスプレイ付き洗濯機端末が、衣類情報を取得したあと衣類を提示するステップＳ４と、
洗濯機端末が、洗浄プログラムパラメータを受信したあと洗浄を行うステップＳ５、を含むことを特徴とする方法。
【発明の詳細な説明】
【技術分野】
【０００１】
本発明はホームファニシングの技術分野に属し、具体的には、洗濯機の衣類識別システム、当該システムのバインディング及び衣類識別方法に関する。
【背景技術】
【０００２】
現在市販されている家庭用洗濯機は、いずれもユーザが洗浄前に選択したプログラムに基づき、洗濯機に搭載されているコントロールパネルによって洗浄動作を完了する。通常、洗浄過程には、選択したプログラムに規定される洗浄時間、洗浄温度、洗浄回転速度、洗浄水位、すすぎ時間、脱水時間等が含まれる。しかし、これらの洗浄プログラムは、組成別衣類ケアの的確性がやや低い。家庭での洗濯にあたり、各種組成からなる衣類は構成がやや複雑で多様なため、一般ユーザには専門的なケアの判断が不可能である。そのため、きれいに洗濯できなかったり、資源を無駄にしたりといった軽度の問題や、衣類の摩耗による破れや色褪せ・色滲み、収縮・変形といった洗濯による重度の損傷事故が発生してしまう。また、衣類ケアの専門家であったとしても、洗濯機における洗浄プログラムの選択肢が少ない条件下では、洗浄する衣類に対し適切な洗浄プログラムを選択することは難しい。
【０００３】
このほか、現在の洗濯機において、衣類のスマート識別や洗浄プログラムのカスタイマイズはまだ模索の段階にあり、衣類情報の識別や洗浄プログラムの最適化及びカスタイマイズについて有効且つ成熟した体系は開示されていない。
【０００４】
特許文献１は、スマートタグ付きの衣類、スマートタグリーダ、洗濯機のスマート情報処理デバイス、洗濯機の操作表示インターフェース（タッチスクリーン）及びユーザを含むワイヤレス自動識別技術に基づく洗濯機のスマート洗浄方法を開示している。
【０００５】
以上に鑑みて、本発明を提案する。
【先行技術文献】
【特許文献】
【０００６】
【特許文献１】中国特許出願第２０１４１００６５５６８．１号明細書
【発明の概要】
【発明が解決しようとする課題】
【０００７】
本発明は、従来技術の瑕疵を解消し、衣類識別モジュールとワイヤレスモジュールを組み合わせた衣類識別ワイヤレスモジュールを洗濯機に装着し、サーバを通じて衣類データを制御命令として対応する洗濯機の制御装置に送信することで、衣類のスマート洗浄ケア機能を実現する洗濯機の衣類識別システム、当該システムのバインディング及び衣類識別方法を提供することを解決しようとする技術的課題とする。
【課題を解決するための手段】
【０００８】
上記の技術的課題を解決すべく、本発明で採用する技術方案の基本思想について以下に述べる。
【０００９】
洗濯機の衣類識別システムであって、衣類識別ワイヤレスモジュール、モバイル端末及びサーバを含む。
【００１０】
衣類識別ワイヤレスモジュールは、衣類識別モジュールとワイヤレスモジュールを組み合わせた部材であり、衣類タグを識別してタグ情報をサーバに伝達する。
【００１１】
サーバは、衣類タグ情報を受信して対応する衣類情報を解析により取得すると、これを洗濯機及び／又はモバイル端末に送信して提示させる。また、衣類情報に基づき、対応する当該衣類の洗浄プログラムパラメータを取得して洗濯機に送信する。洗濯機は取得したパラメータに基づいて洗浄動作を実行する。洗浄プログラムパラメータには、洗浄プログラム、洗浄水位、洗浄水温、洗浄時間、洗浄回転速度、洗浄回転時間、洗浄停止時間、すすぎ回数、脱水時間、脱水回転速度等が含まれる。
【００１２】
モバイル端末は、サーバから送信された情報を受信してユーザに提示する。
【００１３】
また、洗濯機の衣類識別システムであって、衣類識別ワイヤレスモジュール、モバイル端末及びサーバを含む。
【００１４】
衣類識別ワイヤレスモジュールは、衣類識別モジュールとワイヤレスモジュールを組み合わせた部材であり、衣類タグを識別してタグ情報をサーバに伝達する。
【００１５】
サーバは、衣類タグ情報を受信して対応する衣類情報を解析により取得すると、これを洗濯機及び／又はモバイル端末に送信して提示させる。
【００１６】
モバイル端末は、サーバから送信された衣類情報を受信してユーザに提示する。また、モバイル端末又は洗濯機は、取得した衣類情報に基づいて対応する洗浄プログラムパラメータを取得する。且つ、モバイル端末は洗浄起動機能を有する。洗浄プログラムパラメータには、洗浄プログラム、洗浄水位、洗浄水温、洗浄時間、洗浄回転速度、洗浄回転時間、洗浄停止時間、すすぎ回数、脱水時間、脱水回転速度等が含まれる。
【００１７】
前記衣類識別ワイヤレスモジュールは、衣類タグ識別機能及びネットワーク伝送機能を有する。前記サーバは、データ送受信、データ解析、データ分析、データ記憶、データ演算処理機能を有する。前記モバイル端末は、衣類情報提示機能及び衣類情報演算処理機能を有する携帯電話端末又はｉｐａｄ端末である。前記洗濯機に衣類識別ワイヤレスモジュールを設置して、データの受信やアップロード、制御命令の実行を行う。また、洗濯機本体のディスプレイには衣類情報提示機能及び衣類情報処理機能が備わっている。
【００１８】
前記衣類の識別可能なタグはＲＦＩＤタグである。前記衣類識別モジュールはＲＦＩＤ衣類識別モジュールであって、ワイヤレスモジュールと組み合わせることでＲＦＩＤ衣類識別ワイヤレスモジュールとする。ＲＦＩＤタグは読み取りが容易且つ迅速であり、データの読み取りに光源を必要とせず、更には梱包越しの読み取りも可能である。且つ、タグデータは動的に変更可能である。ＲＦＩＤ衣類識別モジュールは識別速度が速く、データ容量が大きい。また、使用寿命が長く、応用範囲も広い。ＲＦＩＤ衣類識別ワイヤレスモジュールは、サーバを通じて衣類データを制御命令として対応する洗濯機の制御装置に送信することで、衣類のスマート洗浄ケア機能を実現する。
【００１９】
前記衣類識別ワイヤレスモジュールは独立したモジュールであって、独立した電源を有し、取り外し可能に洗濯機に装着される。或いは、メーカーがモジュールの構造及び装着位置に基づいて装着構造を設計し、且つ、電気供給のための対応する電源端子を提供する。衣類識別ワイヤレスモジュールと洗濯機は一体構造ではなく別々に設置されるため、臨機応変に使用でき、交換が容易である。
【００２０】
前記モバイル端末は、デバイスバインディング機能を有している。衣類識別ワイヤレスモジュールのワイヤレスモジュールは工場出荷時設定がネットワーク設定モードとなっており、モバイル端末によりネットワーク設定を行ってルータに接続することが可能である。また、前記衣類識別ワイヤレスモジュールには工場出荷時設定リセットボタンが設置されており、これを押すことで衣類識別ワイヤレスモジュールがネットワーク設定モードにリセットされる。このように、ワイヤレスモジュールは工場出荷時設定がネットワーク設定モードとなっており、ネットワーク設定を直接行うことが可能である。よって、ユーザによるネットワーク設定モードへの調整ステップが不要であり、ユーザにとって使用しやすい。また、衣類識別ワイヤレスモジュールには工場出荷時設定リセットボタンが設置されているため、ユーザの使用過程で問題が発生し、原因を見出せない場合には、このボタンを押すことでネットワーク設定をやり直すことができる。
【００２１】
前記モバイル端末は携帯電話端末又はｉｐａｄ端末である。これら２種類のモバイル端末は比較的普及しており、携帯が容易で使用しやすい。また、前記衣類識別ワイヤレスモジュールのワイヤレスモジュールはＷｉＦｉモジュールである。このモジュールは比較的広く普及しており、ユーザが多い。また、設置が容易であり、ワイヤレス速度が比較的速く、ユーザエクスペリエンスが良好である。
【００２２】
洗濯機の衣類識別システムにおける衣類識別ワイヤレスモジュールのバインディング設定方法は、以下のステップを含む。
【００２３】
Ｓ１：衣類識別ワイヤレスモジュールがネットワーク設定モードになる。
【００２４】
Ｓ２：モバイル端末が家内のルータに接続される。
【００２５】
Ｓ３：モバイル端末が衣類識別ワイヤレスモジュールを設定する。
【００２６】
Ｓ４：衣類識別ワイヤレスモジュールが家内のルータに接続される。
【００２７】
Ｓ５：モバイル端末が、衣類識別ワイヤレスモジュールと同一ネットワーク内の洗濯機とをバインディング設定する。
【００２８】
前記Ｓ３及びＳ４の具体的な操作として、モバイル端末は、従来のｓｏｆｔａｐｐ又はｓｍａｒｔｌｉｎｋバインディングフローに従って衣類識別ワイヤレスモジュールを対応するルータに設定し、ネットワーク接続機能を持たせる。
【００２９】
前記Ｓ５の具体的な操作として、Ｓ４のあとに、モバイル端末は洗濯機を同一ネットワーク内に設定する。そして、モバイル端末を通じて衣類識別ワイヤレスモジュールと洗濯機の間にバインディング関係を構築することで、衣類識別ワイヤレスモジュールと洗濯機の間での情報送信を可能とする。
【００３０】
洗濯機の衣類識別システムにおける衣類識別方法は、以下のステップを含む。
【００３１】
ユーザは、洗濯機にタグ付きの衣類を投入する。或いは、ユーザは衣類を投入する際に、衣類識別モジュール付近で衣類識別動作を行う。
【００３２】
Ｓ１：衣類識別ワイヤレスモジュールは、ユーザが投入した衣類を識別し、対応する衣類タグ情報を取得する。
【００３３】
Ｓ２：衣類識別ワイヤレスモジュールは、ワイヤレスモジュールを通じてタグ情報をサーバに送信する。
【００３４】
Ｓ３：サーバは、タグデータ及び対応するデコード規則に基づいてデータ解析を行い、識別する衣類の情報を取得するとともに、衣類情報に基づき論理判定及びプログラムパラメータの演算を行う。サーバは、衣類情報をモバイル端末又は洗濯機端末のディスプレイにフィードバックし、且つ、洗浄プログラムパラメータを洗濯機の制御基板にフィードバックする。
【００３５】
或いは、サーバはタグデータ及び対応するデコード規則に基づいてデータ解析を行い、識別する衣類の情報を取得して、衣類情報をモバイル端末及び／又は洗濯機端末のディスプレイにフィードバックする。モバイル端末及び／又はディスプレイ付き洗濯機端末は、衣類情報を取得すると衣類を提示するとともに、取得した衣類情報に基づいてプログラムパラメータを演算し、洗浄プログラムパラメータを洗濯機の制御基板にフィードバックする。
【００３６】
Ｓ４：モバイル端末及び／又はディスプレイ付き洗濯機端末は、衣類情報を取得したあと衣類を提示する。
【００３７】
Ｓ５：洗濯機端末は洗浄プログラムパラメータを受信したあと洗浄を行う。
【００３８】
洗濯機端末又はモバイル端末が起動を選択すると、ＲＦＩＤ衣類識別ワイヤレスモジュールが動作を開始して、最終的にサーバから衣類情報と洗浄プログラムパラメータが取得される。ユーザは、衣類情報をチェックすることで洗浄方式が正しいか否かを確認可能である。洗浄プログラムパラメータにより洗濯機の洗浄が制御されるため、専門的な洗濯ケア及び正確な洗濯ケア機能が実現される。
【発明の効果】
【００３９】
上記の技術方案を用いることで、本発明は従来技術と比較して以下のような有益な効果を有する。
【００４０】
１．ＲＦＩＤタグは読み取りが容易且つ迅速であり、データの読み取りに光源を必要とせず、更には梱包越しの読み取りも可能である。且つ、タグデータは動的に変更可能である。
【００４１】
２．ＲＦＩＤ衣類識別モジュールは識別速度が速く、データ容量が大きい。また、使用寿命が長く、応用範囲も広い。
【００４２】
３．ＲＦＩＤ衣類識別ワイヤレスモジュールは、サーバを通じて衣類データを制御命令として対応する洗濯機の制御装置に送信することで、衣類のスマート洗浄ケア機能を実現する。
【００４３】
４．衣類識別ワイヤレスモジュールと洗濯機は一体構造ではなく別々に設置されるため、臨機応変に使用でき、交換が容易である。
【００４４】
５．ワイヤレスモジュールは工場出荷時設定がネットワーク設定モードとなっており、ネットワーク設定を直接行うことが可能である。よって、ユーザによるネットワーク設定モードへの調整ステップが不要であり、ユーザにとって使用しやすい。
【００４５】
６．衣類識別ワイヤレスモジュールには工場出荷時設定リセットボタンが設置されているため、ユーザの使用過程で問題が発生し、原因を見出せない場合には、このボタンを押すことでネットワーク設定をやり直すことができる。
【００４６】
７．前記モバイル端末は携帯電話端末又はｉｐａｄ端末である。これら２種類のモバイル端末は比較的普及しており、携帯が容易で使用しやすい。
【００４７】
８．前記衣類識別ワイヤレスモジュールのワイヤレスモジュールはＷｉＦｉモジュールである。このモジュールは比較的広く普及しており、ユーザが多い。また、設置が容易であり、ワイヤレス速度が比較的速く、ユーザエクスペリエンスが良好である。
【００４８】
９．モバイル端末を通じて衣類識別ワイヤレスモジュールと洗濯機の間にバインディング関係を構築することで、衣類識別ワイヤレスモジュールと洗濯機の間での情報送信を可能とする。
【００４９】
１０．洗濯機端末又はモバイル端末が起動を選択すると、ＲＦＩＤ衣類識別ワイヤレスモジュールが動作を開始して、最終的にサーバから衣類情報及び／又は洗浄プログラムパラメータが取得される。ユーザは、モバイル端末又は洗濯機のディスプレイを通じて衣類情報をチェックすることで、洗浄方式が正しいか否かを確認可能である。洗浄プログラムパラメータにより洗濯機の洗浄が制御されるため、専門的な洗濯ケア及び正確な洗濯ケア機能が実現される。
【００５０】
以下に、図面を組み合わせて、本発明の具体的実施形態につき更に詳細に述べる。
【００５１】
図面は、本発明の一部として本発明の更なる理解のために用いられる。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００５２】
【図１】図１は、本発明の衣類識別のフローチャートである。
【図２】図２は、本発明のバインディング設定のフローチャートである。
【図３】図３は、本発明のＲＦＩＤ衣類識別ワイヤレスモジュールの全体構造を示す図である。
【発明を実施するための形態】
【００５３】
なお、これらの図面及び文字記載は何らかの方式で本発明の構想の範囲を制限するとの意図ではなく、特定の実施例を参照して当業者に本発明の概念を説明するためのものである。
【００５４】
本発明における実施例の目的、技術方案及び利点をより明確とすべく、以下では本発明の実施例にかかる図面を組み合わせて、実施例の技術方案につき明瞭簡潔に述べる。なお、以下の実施例は本発明を説明するためのものであって、本発明の範囲を制限するものではない。
【００５５】
本発明の記載において、「上」、「下」、「前」、「後」、「左」、「右」、「垂直」、「内」、「外」等の用語で示される方向又は位置関係は、図示に基づく方向又は位置関係であって、本発明の記載の便宜上及び記載の簡略化のためのものにすぎず、対象となる装置又は部材が特定の方向を有し、且つ特定の方向で構成及び操作されねばならないことを明示又は暗示するものではない。よって、本発明を制限するものと理解すべきではない。
【００５６】
本発明の記載において、別途明確に規定及び限定しない限り、「装着する」、「連なる」、「接続する」との用語は広義に解釈すべきである。例えば、固定接続であってもよいし、取り外し可能な接続であってもよいし、一体接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。
【００５７】
図１及び図２に示すように、本発明における洗濯機の衣類識別システムは、衣類識別ワイヤレスモジュール、モバイル端末及びサーバを含む。
【００５８】
衣類識別ワイヤレスモジュールは、衣類識別モジュールとワイヤレスモジュールを組み合わせた部材であり、衣類タグを識別してタグ情報をサーバに伝達する。
【００５９】
サーバは、衣類タグ情報を受信して対応する衣類情報を解析により取得すると、これを洗濯機及び／又はモバイル端末に送信して提示させる。また、衣類情報に基づき、対応する当該衣類の洗浄プログラムパラメータを取得して洗濯機に送信する。洗濯機は、取得したパラメータに基づいて洗浄動作を実行する。洗浄プログラムパラメータには、洗浄プログラム、洗浄水位、洗浄水温、洗浄時間、洗浄回転速度、洗浄回転時間、洗浄停止時間、すすぎ回数、脱水時間、脱水回転速度等が含まれる。
【００６０】
モバイル端末は、サーバから送信された情報を受信してユーザに提示する。
【００６１】
洗濯機の衣類識別システムは、衣類識別ワイヤレスモジュール、モバイル端末及びサーバを含む。
【００６２】
衣類識別ワイヤレスモジュールは、衣類識別モジュールとワイヤレスモジュールを組み合わせた部材であり、衣類タグを識別してタグ情報をサーバに伝達する。
【００６３】
サーバは、衣類タグ情報を受信して対応する衣類情報を解析により取得すると、これを洗濯機及び／又はモバイル端末に送信して提示させる。
【００６４】
モバイル端末は、サーバから送信された衣類情報を受信してユーザに提示する。また、モバイル端末又は洗濯機は、取得した衣類情報に基づいて対応する洗浄プログラムパラメータを取得する。且つ、モバイル端末は洗浄起動機能を有する。洗浄プログラムパラメータには、洗浄プログラム、洗浄水位、洗浄水温、洗浄時間、洗浄回転速度、洗浄回転時間、洗浄停止時間、すすぎ回数、脱水時間、脱水回転速度等が含まれる。
【００６５】
前記衣類識別ワイヤレスモジュールは、衣類タグ識別機能及びネットワーク伝送機能を有する。前記サーバは、データ送受信、データ解析、データ分析、データ記憶、データ演算処理機能を有する。前記モバイル端末は、衣類情報提示機能及び衣類情報演算処理機能を有する携帯電話端末又はｉｐａｄ端末である。前記洗濯機に衣類識別ワイヤレスモジュールを設置して、データの受信やアップロード、制御命令の実行を行う。また、洗濯機本体のディスプレイには衣類情報提示機能及び衣類情報処理機能が備わっている。
【００６６】
前記モバイル端末は、デバイスバインディング機能を有している。衣類識別ワイヤレスモジュールのワイヤレスモジュールは工場出荷時設定がネットワーク設定モードとなっており、モバイル端末によりネットワーク設定を行ってルータに接続することが可能である。また、前記衣類識別ワイヤレスモジュールには工場出荷時設定リセットボタンが設置されており、これを押すことで衣類識別ワイヤレスモジュールがネットワーク設定モードにリセットされる。このように、ワイヤレスモジュールは工場出荷時設定がネットワーク設定モードとなっており、ネットワーク設定を直接行うことが可能である。よって、ユーザによるネットワーク設定モードへの調整ステップが不要であり、ユーザにとって使用しやすい。また、衣類識別ワイヤレスモジュールには工場出荷時設定リセットボタンが設置されているため、ユーザの使用過程で問題が発生し、原因を見出せない場合には、このボタンを押すことでネットワーク設定をやり直すことができる。
【００６７】
洗濯機の衣類識別システムにおける衣類識別ワイヤレスモジュールのバインディング設定方法は、以下のステップを含む。
【００６８】
Ｓ１：衣類識別ワイヤレスモジュールがネットワーク設定モードになる。
【００６９】
Ｓ２：モバイル端末が家内のルータに接続される。
【００７０】
Ｓ３：モバイル端末が衣類識別ワイヤレスモジュールを設定する。
【００７１】
Ｓ４：衣類識別ワイヤレスモジュールが家内のルータに接続される。
【００７２】
Ｓ５：モバイル端末が、衣類識別ワイヤレスモジュールと同一ネットワーク内の洗濯機とをバインディング設定する。
【００７３】
洗濯機の衣類識別システムにおける衣類識別方法は、以下のステップを含む。
【００７４】
ユーザは、洗濯機にタグ付きの衣類を投入する。或いは、ユーザは衣類を投入する際に、衣類識別モジュール付近で衣類識別動作を行う。
【００７５】
Ｓ１：衣類識別ワイヤレスモジュールは、ユーザが投入した衣類を識別し、対応する衣類タグ情報を取得する。
【００７６】
Ｓ２：衣類識別ワイヤレスモジュールは、ワイヤレスモジュールを通じてタグ情報をサーバに送信する。
【００７７】
Ｓ３：サーバは、タグデータ及び対応するデコード規則に基づいてデータ解析を行い、識別する衣類の情報を取得するとともに、衣類情報に基づき論理判定及びプログラムパラメータの演算を行う。サーバは、衣類情報をモバイル端末又は洗濯機端末のディスプレイにフィードバックし、且つ、洗浄プログラムパラメータを洗濯機の制御基板にフィードバックする。
【００７８】
或いは、サーバはタグデータ及び対応するデコード規則に基づいてデータ解析を行い、識別する衣類の情報を取得して、衣類情報をモバイル端末及び／又は洗濯機端末のディスプレイにフィードバックする。モバイル端末及び／又はディスプレイ付き洗濯機端末は、衣類情報を取得すると衣類を提示するとともに、取得した衣類情報に基づいてプログラムパラメータを演算し、洗浄プログラムパラメータを洗濯機の制御基板にフィードバックする。
【００７９】
Ｓ４：モバイル端末及び／又はディスプレイ付き洗濯機端末は、衣類情報を取得したあと衣類を提示する。
【００８０】
Ｓ５：洗濯機端末は、洗浄プログラムパラメータを受信したあと洗浄を行う。
【００８１】
洗濯機端末又はモバイル端末が起動を選択すると、ＲＦＩＤ衣類識別ワイヤレスモジュールが動作を開始して、最終的にサーバから衣類情報と洗浄プログラムパラメータが取得される。ユーザは、衣類情報をチェックすることで洗浄方式が正しいか否かを確認可能である。洗浄プログラムパラメータにより洗濯機の洗浄が制御されるため、専門的な洗濯ケア及び正確な洗濯ケア機能が実現される。
【実施例１】
【００８２】
本実施例で記載する前記衣類の識別可能なタグはＲＦＩＤタグである。前記衣類識別モジュールはＲＦＩＤ衣類識別モジュールであって、ワイヤレスモジュールと組み合わせることでＲＦＩＤ衣類識別ワイヤレスモジュールとする。ＲＦＩＤタグは読み取りが容易且つ迅速であり、データの読み取りに光源を必要としない。また、ワイヤレス伝送が可能であり、更には梱包越しの読み取りも可能である。且つ、タグデータは動的に変更可能である。ＲＦＩＤ衣類識別モジュールは識別速度が速く、データ容量が大きい。また、使用寿命が長く、応用範囲も広い。ＲＦＩＤ衣類識別ワイヤレスモジュールは、サーバを通じて衣類データを制御命令として洗濯機及びモバイル端末に送信可能である。洗濯機は、取得した衣類情報に基づいて洗浄パラメータを演算するか、或いは、取得した洗浄パラメータに基づき洗浄を行うことで、衣類のスマート洗浄ケア機能を実現する。
【実施例２】
【００８３】
本実施例で記載する衣類識別ワイヤレスモジュールは独立したモジュールである。ユーザは当該モジュールを自身で洗濯機に装着可能であり、且つ、モジュール自体に電気供給のための独立した電源が備わっている。或いは、メーカーがモジュールの構造及び装着位置に基づいて装着構造を設計し、且つ、電気供給のための対応する電源端子を提供してもよい。衣類識別ワイヤレスモジュールが破損した場合、ユーザは当該モジュールを別個に購入して洗濯機に自身で装着することが可能である。衣類識別ワイヤレスモジュールと洗濯機は一体構造ではなく別々に設置されるため、臨機応変に使用でき、交換が容易である。
【実施例３】
【００８４】
本実施例で記載するモバイル端末は携帯電話端末又はｉｐａｄ端末である。これら２種類のモバイル端末は比較的普及しており、携帯が容易で使用しやすい。また、前記衣類識別ワイヤレスモジュールのワイヤレスモジュールはＷｉＦｉモジュールである。このモジュールは比較的広く普及しており、ユーザが多い。また、設置が容易であり、ワイヤレス速度が比較的速く、ユーザエクスペリエンスが良好である。
【実施例４】
【００８５】
本実施例で記載する洗濯機の衣類識別システムにおける衣類識別ワイヤレスモジュールのバインディング設定方法のＳ３及びＳ４の具体的操作は以下の通りである。
【００８６】
モバイル端末は、従来のｓｏｆｔａｐｐ又はｓｍａｒｔｌｉｎｋバインディングフローに従って衣類識別ワイヤレスモジュールを対応するルータに設定し、ネットワーク接続機能を持たせる。
【００８７】
洗濯機の衣類識別システムにおける衣類識別ワイヤレスモジュールのバインディング設定方法のＳ５の具体的操作は以下の通りである。
【００８８】
Ｓ４のあとに、モバイル端末は洗濯機を同一ネットワーク内に設定する。そして、モバイル端末を通じて衣類識別ワイヤレスモジュールと洗濯機の間にバインディング関係を構築することで、衣類識別ワイヤレスモジュールと洗濯機の間での情報送信を可能とする。
【実施例５】
【００８９】
図３に示すように、本実施例で記載する衣類識別ワイヤレスモジュールは、ＲＦＩＤ衣類識別モジュールとＷｉＦｉモジュールを組み合わせてなり、衣類タグ識別機能、データ送信機能、ネットワーク伝送機能を有する。ＲＦＩＤ衣類識別ワイヤレスモジュールは、衣類タグを検出すると衣類タグの情報を読み取り、ワイヤレスモジュールを通じてサーバに送信する。サーバは、データの収集、処理、送信機能を有する。サーバは衣類データを受信するとこれを解析し、対応する衣類情報を取得する。そして、衣類情報に基づいて対応する洗浄パラメータを演算により取得し、対応する衣類情報及び対応する洗浄パラメータ制御命令を洗濯機の制御基板に送信する。これにより、洗濯機が対応する洗浄フローを実行する。洗濯機のワイヤレスモジュールの役割は、サーバからの命令及びデータを受信し、命令及びデータを洗濯機に送信することである。また、モバイル端末Ａｐｐの役割は、ＲＦＩＤ衣類識別ワイヤレスモジュールのネットワーク設定、ＲＦＩＤ衣類識別ワイヤレスモジュールと対応するＩｏＴ洗濯機とのバインディング関係構築、衣類情報の提示である。
【実施例６】
【００９０】
ユーザが対応するタグ付きの衣類を洗濯機に投入すると、ＲＦＩＤ衣類識別ワイヤレスモジュールは対応する衣類タグ情報を取得し、ワイヤレスモジュールを通じてタグ情報をサーバのバックグラウンドに送信する。サーバは、タグデータ及び対応するデコード規則に従ってデータを解析し、識別する衣類の情報を取得する。そして、識別する衣類情報に基づいて対応する衣類データベースを取得し、対応するモバイル端末又は洗濯機端末にフィードバックして表示させる。また、他方で、衣類情報と関連のアルゴリズムに従って対応する洗浄プログラムパラメータを演算により取得し、洗濯機端末にフィードバックして洗浄を行う。モバイル端末は衣類データを取得したあと、対応する衣類を表示する。ディスプレイ付き洗濯機端末もまた、衣類情報を受信すると対応する衣類を表示する。
【００９１】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて行うわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【図１】
2020529280.tif 000003
【図２】
2020529280.tif 000004
【図３】
2020529280.tif 000005
【国際調査報告】
2020529280.tif 000006
2020529280.tif 000007
2020529280.tif 000008
2020529280.tif 000009